(57)【要約】  破損させることなく、記録媒体を確実に機器本体に出し入れすることを可能とする情報処理装置を提供する。  情報処理装置としてのＣＤプレーヤ１は機器本体３内に出し入れ自在でＣＤ２を保持するトレー５とトレー５を機器本体３内に出し入れする移動機構６を備えている。移動機構６は機器本体３からトレー５を排出した後にトレー５の一端部５ａを中心として回動してトレー５を機器本体３が取り付けられたインパネ４に沿わせた状態にする。
2008062510.tif 000002
【特許請求の範囲】
【請求項１】
機器本体と、
記録媒体を保持可能でかつ前記機器本体に出し入れ自在に設けられたトレーと、
を備えた情報処理装置において、
前記機器本体から前記トレーを排出した後に、当該トレーの一端部を中心として回動して、当該トレーを前記機器本体が取り付けられた壁面に沿わせた状態にする移動機構と、
を備えたことを特徴とする情報処理装置。
【請求項２】
前記トレーが、トレー本体と、該トレー本体に前記記録媒体を保持する保持位置と前記トレー本体上の記録媒体から離間した離間位置とに亘って移動自在に設けられた保持機構と、を備え、
前記トレーが前記機器本体外に排出されて前記壁面に沿う状態になると前記保持機構を保持位置に位置付け、かつ前記トレーが前記機器本体内に収容されると前記保持機構を離間位置に位置付ける連動機構を備えたことを特徴とする請求項１記載の情報処理装置。
【請求項３】
前記トレーが、前記トレー本体に変位自在に設けられかつ前記記録媒体を装着して当該記録媒体に記録された情報を読み出す再生機構部を備え、
前記連動機構が、前記トレーが前記機器本体外に排出されて前記壁面に沿う状態になると前記再生機構部が前記トレー本体に対して変位することを規制し、かつ前記トレーが前記機器本体内に収容されると前記再生機構部が前記トレー本体に対して変位することを許容することを特徴とする請求項２記載の情報処理装置。
【請求項４】
前記連動機構が、前記機器本体外に排出された前記トレーの機器本体寄りの一端部に中央部を回転自在に設けられた連動アームと、前記連動アームの前記機器本体から離れた側の一端部が前記再生機構部に近づく方向に付勢する付勢手段と、を備え、
前記連動アームの中央部と前記一端部との間に前記保持機構の一部を設け、
かつ前記トレーが前記壁面に沿う状態になると前記連動アームの前記一端部が前記再生機構部を押圧して当該再生機構部のトレー本体に対する変位を規制するとともに、
前記トレーが前記機器本体内に収容されると前記付勢手段の付勢力に抗して前記連動アームの前記一端部が前記再生機構部から離間して、前記再生機構部のトレー本体に対する変位を許容しかつ前記保持機構の一部を前記記録媒体から離間させることを特徴とする請求項３記載の情報処理装置。
【発明の詳細な説明】
【技術分野】
【０００１】
本発明は、例えば、Compact Discなどの記録媒体から情報を読み出す情報処理装置に関する。
【背景技術】
【０００２】
例えば、移動体としての自動車のインストルメントパネル（以下インパネと呼ぶ）には、情報処理装置としてのＣＤプレーヤ（例えば、特許文献１及び特許文献２参照）が取り付けられる。ＣＤプレーヤは、記録媒体としてのCompact Disc（以下ＣＤと呼ぶ）が記録した情報を読み出す。【０００３】
特許文献１に示されたＣＤプレーヤは、前記インパネに取り付けられる機器本体と、前記機器本体に開口した記録媒体挿入口と、ＣＤを機器本体の内外に出し入れする搬送ユニットと、前記ＣＤに記録された情報を読み出すための再生ユニット等を備えている。機器本体は、複数の板金などが互いに組み付けられて箱状に形成されたシャーシを備えている。記録媒体挿入口は、内側に前記ＣＤが通される。【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。【０００６】
再生ユニットは、前記ＣＤを回転するために回転テーブルと、前記ＣＤに記録された情報を読み出すための光ピックアップ等を備えている。再生ユニットは、前記ＣＤを前記再生位置に位置決め（クランプ）して、回転テーブルがＣＤを回転して、光ピックアップが前記ＣＤに記録された情報を読み出す。【０００７】
前記ＣＤが記録媒体挿入口を通して機器本体内に挿入されると、まず、ＣＤが前記一対の挟持部材間に挟まれる。搬送ローラの回転によってＣＤが機器本体内に搬送される。【０００８】
そして、前記ＣＤは再生ユニットにクランプされて、回転テーブルがＣＤを回転させて、該再生ユニットによって情報を取り出される。情報処理装置は、取り出された情報を音声として出力する。ＣＤを機器本体外に搬出する際には、まず、回転テーブルの回転を止める。搬送ユニットの搬送ローラを先ほどとは逆方向に回転させて、ＣＤを記録媒体挿入口内に通して機器本体内から機器本体外に徐々に搬送する。【０００９】
前述した特許文献１に示されたＣＤプレーヤは、搬送ローラの回転駆動力のみによって、ＣＤを機器本体の内外に搬送してきた。このため、ＣＤの外表面に油分や塵埃などが付着して、当該ＣＤの外表面が汚れていると、特に機器本体外に排出するＣＤと搬送ローラとが互いに滑って、ＣＤを排出できなくなることがあった。【００１０】
この種の問題を解決するために、特許文献２に示されたＣＤプレーヤは、機器本体にＣＤを保持するトレーを出し入れ自在としている。
【特許文献１】特開２０００−２０７８０２号公報
【特許文献２】特開２００３−１１５１５１号公報
【発明の開示】
【発明が解決しようとする課題】
【００１１】
前述した特許文献２に示されたＣＤプレーヤは、機器本体から排出されたトレーが水平な状態に保たれるために、ＣＤをトレーに装着しにくかった。特に、前述したＣＤプレーヤは、前述した自動車に搭載されると、運転者がＣＤの着脱に集中することが困難で、不意にトレーを強く押圧するなどして不意にトレーの移動機構などを破損する虞があった。【００１２】
したがって、本発明の目的は、例えば、破損させることなく、記録媒体を確実に機器本体に出し入れすることを可能とする情報処理装置を提供することにある。
【課題を解決するための手段】
【００１３】
前記課題を解決し目的を達成するために、請求項１に記載の本発明の情報処理装置は、  機器本体と、記録媒体を保持可能でかつ前記機器本体に出し入れ自在に設けられたトレーと、を備えた情報処理装置において、前記機器本体から前記トレーを排出した後に、当該トレーの一端部を中心として回動して、当該トレーを前記機器本体が取り付けられた壁面に沿わせた状態にする移動機構と、を備えたことを特徴としている。
【図面の簡単な説明】
【００１４】
【図１】本発明の一実施例にかかる情報処理装置としてのＣＤプレーヤの外観を示す斜視図である。
【図２】図１に示されたＣＤプレーヤの機器本体内からトレーが排出され始めた状態を示す斜視図である。
【図３】図２に示されたＣＤプレーヤのトレーが露出位置に位置付けられた状態を示す斜視図である。
【図４】図３に示されたＣＤプレーヤのトレーが着脱位置に位置付けられた状態を示す斜視図である。
【図５】図１に示されたＣＤプレーヤの収容位置に位置付けられたトレーに取り付けられた保持機構と連動機構などの状態を示すトレーの平面図である。
【図６】図１に示されたＣＤプレーヤの着脱位置に位置付けられたトレーに取り付けられた保持機構と連動機構などの状態を示すトレーの平面図である。
【図７】図１に示されたＣＤプレーヤのトレーが収容位置に位置付けられたときの移動機構などを示す側断面図である。
【図８】図１に示されたＣＤプレーヤのトレーが露出位置及び着脱位置に位置付けられたときの移動機構などを示す側断面図である。
【図９】図１に示されたＣＤプレーヤの再生機構部の突没部材がクランプ位置に一付けられた状態の回転テーブルの断面図である。
【図１０】図１に示されたＣＤプレーヤの再生機構部の突没部材がアンクランプ位置に一付けられた状態の回転テーブルの断面図である。
【図１１】図５中のＸＩ−ＸＩ線に沿う断面図である。
【図１２】図６中のＸＩＩ−ＸＩＩ線に沿う断面図である。
【図１３】図６中のＸＩＩＩ−ＸＩＩＩ線に沿う断面図である。
【図１４】図５中のＸＩＶ−ＸＩＶ線に沿う断面図である。
【図１５】図６中のＸＶ−ＸＶ線に沿う断面図である。
【図１６】図５中のＸＶＩ−ＸＶＩ線に沿う断面図である。
【符号の説明】
【００１５】
１  ＣＤプレーヤ（情報処理装置）
２  ＣＤ（記録媒体）
３  機器本体
４  インパネ（壁面）
５  トレー
５ａ  一端部
６  移動機構
７  保持機構
８  連動機構
１４  トレー本体
１５  再生機構部
５６  連動アーム
５６ａ  中央部
５６ｂ  一端部
５７  コイルばね（付勢手段）
【発明を実施するための最良の形態】
【００１６】
以下、本発明の一実施形態にかかる情報処理装置を説明する。本発明の一実施形態にかかる情報処理装置は、機器本体外に排出したトレーを、該機器本体が取り付けられた壁面に沿う状態まで回転することで、該トレーに記録媒体を着脱しやすくしている。こうすることで、情報処理装置は、記録媒体の着脱に集中できない状態であっても、トレーに記録媒体を着脱しやすくすることで、トレーを不意に押圧することを防止して、トレーを移動する機構などの不意な破損を防止している。【００１７】
トレーのトレー本体に記録媒体を保持する保持機構を設け、トレーが機器本体内に収容されると保持機構を記録媒体から離間させる連動機構を備えても良い。この場合、壁面に沿うトレーに記録媒体を確実に保持できかつトレーが機器本体に収容されると記録媒体の再生動作を保持機構が妨げることがない。【００１８】
また、連動機構が、トレー本体に変位自在に設けられた再生機構部を押圧して当該再生機構部の変位を規制するようにしても良い。この場合、トレー本体に対する変位が規制された再生機構部に記録媒体を着脱できるので、該記録媒体をトレーにより容易に着脱できる。【００１９】
さらに、連動機構が、アーム部と付勢手段とを備えても良い。この場合、簡便な構成で保持機構を移動させることができかつ再生機構部の変位を規制できる。
【実施例】
【００２０】
以下、本発明の実施例にかかる情報処理装置の一例としてのＣＤプレーヤ１を、図１ないし図１６に基づいて説明する。図１などに示すＣＤプレーヤ１は、移動体としての自動車のインストルメントパネル（以下、インパネと呼ぶ）４（図７及び図８中に一点鎖線で示す）などに取り付けられて、外径が例えば１２ｃｍの記録媒体としてのＣＤ２を後述する機器本体３内に収容して、該ＣＤ２に記録された情報を読み出して（再生して）音声として出力する。インパネ４は、特許請求の範囲に記載された機器本体３が取り付けられた壁面をなしている。【００２１】
なお、ＣＤ２は、勿論、ディスク形に形成されており、特許請求の範囲に記載された記録媒体をなしているとともに、円板状のコンピュータなどの電子機器で情報を読み取り可能な記録媒体である。【００２２】
ＣＤプレーヤ１は、図１ないし図４に示すように、機器本体３と、トレー５と、移動機構６（図７及び図８に示す）と、連動機構８（図５及び図６に示す）とを備えている。なお、以下、機器本体３内に収容されたＣＤ２の表面とトレー５の移動方向Ｋとの双方と平行な図１中の矢印ＹをＣＤプレーヤ１の奥行き方向と記し、機器本体３内に収容されたＣＤ２の表面と平行でかつ前記奥行き方向Ｙと直交する矢印ＸをＣＤプレーヤ１の幅方向と記し、機器本体３内に収容されたＣＤ２の表面と奥行き方向Ｙと幅方向Ｘの全てと直交する矢印ＺをＣＤプレーヤ１の厚み方向と記す。【００２３】
機器本体３は、インパネ４に取り付けられる。機器本体３は、扁平な箱状に形成されている。機器本体３のインパネ４に取り付けられると露出する前面３ａには、トレー通し孔９が一つのみ設けられている。なお、前面３ａは、機器本体３即ちＣＤプレーヤ１がインパネ４に取り付けられると、該インパネ４の外側に露出する機器本体３の一つの面である。【００２４】
トレー通し孔９は、機器本体３の前面３ａを貫通している。トレー通し孔９は、扁平な矩形状に形成されており、内側にトレー５を通すことができる。トレー通し孔９を通して、前記トレー５は、図１中の前面３ａに対して交差（図示例では直交）する奥行き方向Ｙに沿って移動して、機器本体３に出し入れされる。【００２５】
さらに、前述した前面３ａには、表示パネルとしての蛍光表示管１２と、各種のスイッチ１３とが設けられている。【００２６】
蛍光表示管１２は、前面３ａに露出して、使用者に対し各種の情報を表示する表示領域としての表示面を備えている。蛍光表示管１２は、表示面に再生中のプログラム名等の情報を表示する。【００２７】
各種のスイッチ１３は、使用者が操作するための操作部を構成している。スイッチ１３が使用者などに操作されることによって、例えば、後述する再生機構部１５が再生するＣＤ２のプログラムの選択や、トレー５の出し入れなどが行われる。【００２８】
トレー５は、図５及び図６に示すように、平面形が矩形状のトレー本体１４と、再生機構部１５と、保持機構７とを備えている。トレー本体１４は、全体として扁平な箱状に形成された本体部１６と、前面板１７と、ＣＤ位置決め段部１８とを備えている。本体部１６は、前述したトレー通し孔９よりも薄い扁平な箱状に形成されている。前面板１７は、本体部１６のトレー５が機器本体３内に収容されると、前面３ａと略面一となる表面に取り付けられており、トレー通し孔９と略同じ形状に形成されている。前面板１７は、トレー５が機器本体３内に収容されると前面３ａと略面一となって、トレー通し孔９を塞いで当該トレー通し孔９内に異物が侵入することを規制する。【００２９】
ＣＤ位置決め段部１８は、本体部１６の図３中上方に位置する上面から凸に形成されており、当該本体部１６との間に段差を設けている。ＣＤ位置決め段部１８は、トレー５が機器本体３外に排出されると、本体部１６の機器本体３寄りの端部に設けられている。ＣＤ位置決め段部１８の機器本体３から離れた側には、ＣＤ２の外縁に沿って湾曲した湾曲面１９が形成されている。湾曲面１９の平面形状は、ＣＤ２の外縁に沿って円弧状に形成されている。ＣＤ位置決め段部１８は、湾曲面１９の内側にＣＤ２を位置付けて、当該ＣＤ２をトレー本体１４に対して概略位置決めする。即ち、トレー本体１４の本体部１６上には、ＣＤ２が置かれる。【００３０】
また、ＣＤ位置決め段部１８と本体部１６とに亘って、保持ピン露出孔２０が貫通している。保持ピン露出孔２０は、図示例では、二つ設けられ、互いに幅方向Ｘに沿って間隔をあけて配置されている。保持ピン露出孔２０は、ＣＤ位置決め段部１８の湾曲面１９に開口しており、ＣＤ位置決め段部１８の湾曲面１９の径方向に沿って延びている。保持ピン露出孔２０は、保持機構７の後述する保持ピン５１を内側に位置付けて、当該保持ピン５１を保持ピン露出孔２０の長手方向に沿って移動自在としている。【００３１】
さらに、トレー本体１４の機器本体３即ち移動機構６の後述するスライド部３９のスライドシャーシ４２と相対する端面には、図４に示すように、連動機構８の後述する連動アーム５６の主に他端部５６ｃが通る貫通孔５９が開口している。【００３２】
また、トレー本体１４の本体部１６の中央部には、再生機構部取付孔２１が開口している。再生機構部取付孔２１は、本体部１６の上面を貫通している。【００３３】
再生機構部１５は、図５及び図６などに示すように、再生機構部本体２２と、回転テーブル２３と、光ピックアップ２４などを備えている。再生機構部本体２２は、板金を折り曲げられて得られ、前記再生機構部取付孔２１を略塞いだ格好に配置される平坦壁２５を備えている。平坦壁２５には、当該平坦壁２５を貫通したピックアップ露出孔２６が設けられている。ピックアップ露出孔２６は、再生機構部取付孔２１の外縁部から中央部に向かって直線状に延在している。【００３４】
また、再生機構部本体２２即ち再生機構部１５は、ゴムなどの弾性体などで構成された図示しないダンパによって、前記トレー本体１４に対し移動自在に、該トレー本体１４内に支持される。【００３５】
さらに、再生機構部本体２２の平坦壁２５の後述する連動アーム５６の一端部２６ｂと相対する縁部には、テーパ面２７が形成されている。このテーパ面２７は、連動アーム５６の一端部５６ｂに近づくのにしたがって即ち再生機構部本体２２の外側に向かうにしたがって当該再生機構部本体２２の厚みを徐々に薄くする方向に傾斜している。【００３６】
回転テーブル２３は、再生機構部取付孔２１即ちトレー本体１４の中央に位置するように、再生機構部本体２２に取り付けられている。回転テーブル２３は、図９及び図１０に示すように、スピンドルモータ２８と、ターンテーブル２９と、可動部材３０と、複数の突没部材３１とを備えている。スピンドルモータ２８は、再生機構部取付孔２１即ちトレー本体１４の中央に位置するように、再生機構部本体２２に固定されている。スピンドルモータ２８は、その出力軸がトレー本体１４の上方に向かって立設する格好で配置されている。【００３７】
ターンテーブル２９は、互いに同軸な円板状の円板部３２と該円板部３２に連なる円筒部３３とを備えている。円筒部３３は、スピンドルモータ２８の出力軸の外周に嵌合するなどして、当該出力軸に取り付けられている。円板部３２は、再生機構部本体２２の平坦壁２５上に露出している。円板部３２の平坦壁２５上に露出した表面３２ａには、ＣＤ２が載置される。ターンテーブル２９は、表面３２ａ上に置かれたＣＤ２と同軸となる。【００３８】
また、円板部３２には、孔３４が複数設けられている。勿論、孔３４は、円板部３２を貫通している。図示例では、孔３４は、三つ設けられている。これらの孔３４は、円板部３２即ちターンテーブル２９の周方向に沿って並べられ、当該周方向に等間隔に配されている。【００３９】
前述した構成のターンテーブル２９は、スピンドルモータ２８によって、軸芯を中心として回転駆動される。【００４０】
可動部材３０は、円環状に形成されている。可動部材３０は、内側にターンテーブル２９の円筒部３３を通している。可動部材３０は、円板部３２とスピンドルモータ２８の本体部との間に配置されている。可動部材３０は、円筒部３３に対し軸芯に沿って移動自在に支持されている。このため、可動部材３０は、ターンテーブル２９の円板部３２に接離自在となっている。【００４１】
なお、本明細書でいう接離するとは、互いに近づいたり離れたりすることである。また、可動部材３０は、スピンドルモータ２８の本体部との間に設けられたコイルばね３５によって、円板部３２に近づく方向に付勢されている。【００４２】
突没部材３１は、図９及び図１０に示すように、側方からみて、略く字状に形成されている。突没部材３１は、ターンテーブル２９の円板部３２と可動部材３０との間でかつ前記孔３４内に設けられている。このため、突没部材３１は、ターンテーブル２９と可動部材３０との間に配されている。【００４３】
突没部材３１は、一端部が前記孔３４を通して表面３２ａから突出するクランプ位置（図９に示す）と、一端部が表面３２ａに没するアンクランプ位置（図１０に示す）と、に亘って変位自在に、他端部が可動部材３０に回転自在に支持されている。一端部は、図９に示すように、可動部材３０がターンテーブル２９の円板部３２に近づいて密に接触すると、表面３２ａから突出する。【００４４】
一端部は、図１０に示すように、可動部材３０がターンテーブル２９の円板部３２から離れると、他端部を中心として突没部材３１自体が回転することで下方に変位する。そして、突没部材３１は、可動部材３０がターンテーブル２９の円板部３２から離れると、孔３４内に没する。【００４５】
光ピックアップ２４は、前記ＣＤ２に記録されている情報を読み出す。光ピックアップ２４は、ピックアップ露出孔２６内に配置され、図示しない駆動機構などによって、当該ピックアップ露出孔２６の長手方向即ち回転テーブル２３上に配置されたＣＤ２の径方向に沿って移動する。【００４６】
光ピックアップ２４は、ピックアップケース３６と、ピックアップとを備えている。ピックアップケース３６は、絶縁性の合成樹脂で構成され、扁平な箱状に形成されている。ピックアップケース３６は、駆動機構によって、ピックアップ露出孔２６の長手方向即ち回転テーブル２３上に配置されたＣＤ２の径方向に沿って移動される。ピックアップケース３６には、該ピックアップケース３６即ち光ピックアップ２４が最も回転テーブル２３に近づくと、ターンテーブル２９の円板部３２と可動部材３０との間に侵入して、これらを互いに離す侵入部３７（図１０に示す）が一体に形成されている。侵入部３７は、勿論、ピックアップケース３６から回転テーブル２３に向かって凸に形成され、かつ該回転テーブル２３に近づくのにしたがって徐々に厚みが薄くなるように先細に形成されている。【００４７】
ピックアップは、ピックアップケース３６内に収容されており、ＣＤ２に向かってレーザ光を照射して、当該ＣＤ２に記録された情報を読み出す。【００４８】
前述した再生機構部１５は、光ピックアップ２４が最も回転テーブル２３に近づいた状態で当該回転テーブル２３上にＣＤ２が載置される。そして、再生機構部１５は、光ピックアップ２４が回転テーブル２３から離れて、突没部材３４がＣＤ２の中央孔の内縁に係止して、回転テーブル２３がＣＤ２をクランプする（取り付ける）。そして、再生機構部１５は、回転テーブル２３でＣＤ２を回転させて、光ピックアップ２４で該ＣＤ２に記録されている情報を読み出す。【００４９】
そして、再生機構部１５は、前記自動車の走行中の振動によって機器本体３が振動しても、前記ダンパなどによって、トレー本体１４即ち機器本体３に対し移動する。このように、前記ダンパなどは、前記自動車の走行中の振動などが前記ＣＤ２に記録されている情報を読み出す作業に悪影響を与えることを防止する。【００５０】
保持機構７は、図５及び図６に示すように、スライド部材５０と、保持ピン５１とを備えている。スライド部材５０は、機器本体３外に排出された状態のトレー５のトレー本体１４の本体部１６の機器本体３から離れた側の他端部５ｂに、トレー５上に載置されるＣＤ２の径方向に沿ってスライド自在に設けられている。【００５１】
スライド部材５０の機器本体３寄りの端部には、ＣＤ２の外縁に沿って平面形状が円弧状に形成された湾曲面５２と、ＣＤ位置決め凸部５３（図４などに示す）とが設けられている。ＣＤ位置決め凸部５３は、湾曲面５２のトレー本体１４の本体部１６から離れた側の縁から凸に湾曲面５２の全長に亘って設けられている。【００５２】
スライド部材５０は、トレー５上に載置されるＣＤ２の中央に向かって図示しないばねなどによって付勢されているとともに、湾曲面５２がトレー５のトレー本体１４上のＣＤ２の外縁と略面一となる位置よりも該ＣＤ２の中央に向かって変位することが図示しないストッパなどによって規制されている。また、スライド部材５０は、所定の位置以上に前面板１７側へ変位することが図示しないゴムやダンパなどの緩衝部材によって規制されている。これにより、後述のようにＣＤ２を着脱する際に、ＣＤ２に押圧されるスライド部材５０の前面板１７側への変位が規制されるとともに、ＣＤ２に押圧されることでスライド部材５０へ加わる力が緩衝される。【００５３】
保持ピン５１は、連動機構８の連動アーム５６の中央部５６ａと機器本体３から離れた側の一端部５６ｂとの間に設けられ、かつ当該連動アーム５６から立設している。保持ピン５１は、図１５及び図１６に示すように、互いに同軸でかつそれぞれが円柱状に形成された細部５４と、太部５５とを一体に備えている。細部５４は、太部５５よりも連動アーム５６寄りに配置されている。保持ピン５１は、保持ピン露出孔２０内に位置付けられて、連動アーム５６が中央部５６ａを中心として回転することで、当該保持ピン露出孔２０内を移動する。保持ピン５１の細部５４と太部５５との双方は、保持ピン露出孔２０内を通して、トレー５外に露出する。【００５４】
また、保持ピン５１は、保持ピン露出孔２０内において、トレー５のトレー本体１４上のＣＤ２の最も中央寄りに位置付けられると、太部５５が該ＣＤ２の外縁よりも該ＣＤ２の中央寄りに位置付けられる。保持ピン５１は、保持ピン露出孔２０内において、トレー５のトレー本体１４上のＣＤ２の最も外側寄りに位置付けられると、太部５５が該ＣＤ２の外縁よりも該ＣＤ２の外側に位置付けられる。【００５５】
前述した保持機構７は、トレー５が前述した機器本体３外に排出されて前述した着脱位置に位置付けられると、スライド部材５０が後述のストッパ５８と接触せずに、図１３に示すように、最もトレー５上のＣＤ２に近づいた状態となり、保持ピン５１が連動機構８によって、図１５に示すように、最もトレー５上のＣＤ２に近づいた状態となる。そして、保持機構７は、図１３に示すように、スライド部材５０のＣＤ位置決め凸部５３とトレー本体１４の本体部１６との間にＣＤ２の外縁部を位置付け、かつ、図１５に示すように、保持ピン５１の太部５５とトレー本体１４の本体部１６との間にＣＤ２の外縁部を位置付けて、当該ＣＤ２をトレー５のトレー本体１４の本体部１６に保持する。これらのスライド部材５０と保持ピン５１の最もトレー５上のＣＤ２に近づいた位置を保持位置という。【００５６】
また、前述した保持機構７は、トレー５が前述した機器本体３内に収容された収容位置に位置付けられると、スライド部材５０がストッパ５８と接触して、図１４に示すように、トレー５上のＣＤ２の外縁から離間した状態となり、保持ピン５１が連動機構８によって、図１６に示すように、トレー５上のＣＤ２の外縁から離間した状態となる。そして、保持機構７は、図１４及び図１６に示すように、スライド部材５０と保持ピン５１との双方が、ＣＤ２と干渉せずに、再生機構部１５のＣＤ２からの情報の読み出しを妨げない。これらのスライド部材５０と保持ピン５１のトレー５上のＣＤ２の外縁から離間した位置を離間位置という。このように、保持機構７は、保持位置と離間位置に亘って移動自在に設けられている。前述したトレー５は、保持機構７によってＣＤ２を保持可能である。【００５７】
移動機構６は、前述したトレー５を機器本体３に出し入れする。移動機構６は、図７及び図８に示すように、固定部３８と、スライド部３９と、回動部４０とを備えている。固定部３８は、ラック４１を備えている。ラック４１は、機器本体３内に収容されかつ該機器本体３に固定されている。ラック４１は、直線状に形成されており、その長手方向は、前述した前面３ａに対して直交する奥行き方向Ｙ即ち自動車の前後方向と平行に配置されている。ラック４１は、機器本体３の奥行き方向Ｙの全長に亘って設けられている。【００５８】
スライド部３９は、スライドシャーシ４２と、駆動源としてのモータ４３と、ウォーム歯車４４とを備えている。スライドシャーシ４２は、板金などで構成されており、機器本体３外に排出された状態のトレー５の機器本体３寄りの一端部５ａを、幅方向Ｘを中心として回転自在に支持している。モータ４３は、スライドシャーシ４２に固定されている。モータ４３の出力軸にはウォーム４５が取り付けられている。ウォーム歯車４４は、スライドシャーシ４２に幅方向Ｘを中心として回転自在に支持されている。ウォーム歯車４４は、ウォーム４５とラック４１との双方と噛み合っている。【００５９】
スライド部３９は、モータ４３が例えば正転駆動すると、ラック４１上をウォーム歯車４４が走行して、スライドシャーシ４２即ちトレー５を機器本体３内からトレー通し孔９を通して機器本体３外に向かって移動する。スライド部３９は、モータ４３が例えば逆転駆動すると、ラック４１上をウォーム歯車４４が走行して、スライドシャーシ４２即ちトレー５を機器本体３外からトレー通し孔９を通して機器本体３内に向かって移動する。【００６０】
回動部４０は、モータ４６と、連結歯車４７と、回動軸用歯車４８とを備えている。モータ４６は、スライドシャーシ４２に固定されており、その出力軸にピニオン４９が取り付けられている。連結歯車４７は、スライドシャーシ４２に幅方向Ｘを中心として回転自在に支持されており、ピニオン４９と噛み合っている。回動軸用歯車４８は、トレー５の前述した一端部５ａに固定されている。回動軸用歯車４８は、連結歯車４７と噛み合っている。【００６１】
前述した構成によって、回動部４０は、例えば、モータ４６が正転駆動すると、前述した一端部５ａを中心として、幅方向Ｘ回りに、機器本体３から離れた側の他端部５ｂが下方に向かうように、トレー５を回転して、水平方向に沿う状態（図８中に実線で示す）から鉛直方向に沿う状態（図８中に二点鎖線で示す）に、トレー５を変位させる。回動部４０は、モータ４６が逆転駆動すると、前述した一端部５ａを中心として、幅方向Ｘ回りにトレー５を回転して、鉛直方向に沿う状態から水平方向に沿う状態に、トレー５を変位させる。【００６２】
前述した構成によって、移動機構６は、モータ４３が例えば正転駆動してウォーム歯車４４がラック４１上を走行して、スライドシャーシ４２則ちトレー５を機器本体３内に収容された収容位置（図７に示す）から機器本体３外に排出された露出位置（図８中に実線でに示す）に向かって、機器本体３の奥行き方向Ｙに沿って移動する。則ち、移動機構６は、モータ４３が例えば正転駆動すると、トレー通し孔９を通して、機器本体３内のトレー５を機器本体３外に排出させる。【００６３】
また、移動機構６は、モータ４３が例えば逆転駆動すると、ウォーム歯車４４がラック４１上を走行して、スライドシャーシ４２則ちトレー５を前述の露出位置から収容位置に向かって、機器本体３の奥行き方向Ｙに沿って移動する。則ち、移動機構６は、モータ４３が例えば逆転駆動すると、トレー通し孔９を通して、機器本体３外のトレー５を機器本体３内に収容する。こうして、移動機構６は、機器本体３内に収容された収容位置と、機器本体３内から排出された露出位置とに亘って、トレー５などを移動する。【００６４】
さらに、前述した構成によって、移動機構６は、モータ４６が例えば正転駆動すると、機器本体３内から排出されて則ち収容位置から移動されて露出位置（図８中に実線で示す）に位置付けられたトレー５を、前述した一端部５ａを中心として回転して、トレー５のトレー本体１４の本体部１６の上面が乗員室内の乗員などと相対する図８中に二点鎖線で示す着脱位置に向かって移動させる。【００６５】
また、移動機構６は、モータ４６が例えば逆転駆動すると、前述した着脱位置に位置付けられたトレー５を、前述した一端部５ａを中心として回転して、トレー５のトレー本体１４の本体部１６の上面が上方に相対する前述した露出位置に向かって移動させる。このように、移動機構６は、トレー５を立ち下げるなどして、収容位置から移動されて位置する露出位置と、トレー本体１４の本体部１６の上面にＣＤ２を着脱自在とする着脱位置とに亘って、トレー５などを変位する。【００６６】
なお、着脱位置では、トレー５は、インパネ４の外表面と略平行になる（即ち、インパネ４に沿う状態になり、着脱位置は、インパネ４に沿う状態をなしている）。このように、移動機構６は、機器本体３からトレー５を排出した後に、トレー５の一端部５ａを中心として回動して、トレー５を機器本体３が取り付けられたインパネ４に沿わせた状態にする。【００６７】
連動機構８は、図５及び図６に示すように、一対の連動アーム５６と、付勢手段としてのコイルばね５７と、ストッパ５８（図７などに示す）とを備えている。【００６８】
連動アーム５６は、その平面形状は、略く字状に形成されている。連動アーム５６は、トレー５のトレー本体１４に取り付けられ、かつ再生機構部１５よりＣＤプレーヤ１の奥側即ち機器本体３寄りに配されている。連動アーム５６は、長手方向の中央部５６ａがトレー本体１４に回転自在に支持されている。また、一対の連動アーム５６は、幅方向Ｘに沿って、互いに間隔をあけて配置されている。連動アーム５６は、中央部５６ａを中心として回転することで、機器本体３から離れた側の一端部５６ｂが再生機構部１５の再生機構部本体２２のテーパ面２７上に乗り上げる位置（以下規制位置と呼ぶ）と、一端部５６ｂが再生機構部１５のテーパ面２７上から離脱する位置（以下許容位置と呼ぶ）とに亘って、変位自在である。【００６９】
規制位置では、連動アーム５６は、図１２に示すように、一端部５６ｂが再生機構部１５の再生機構部本体２２のテーパ面２７上に乗り上げて、再生機構部１５をトレー本体１４の底壁に向かって押圧して、再生機構部１５のトレー本体１４に対する変位を規制する。即ち、規制位置では、再生機構部１５は、トレー本体１４に対して変位しにくくなる。または、規制位置では、再生機構部１５は、トレー本体１４に対して変位しなくなる。規制位置では、連動アーム５６の他端部４０ｂは、トレー本体１４の貫通孔５９を通して、該トレー本体１４外に突出して、移動機構６のスライドシャーシ４２と接触可能となる。【００７０】
また、規制位置では、連動アーム５６は、保持ピン５１を保持ピン露出孔２０の最もＣＤ２の中央寄りの端部に位置付けて、該保持ピン５１を湾曲面１９よりＣＤ２の中央側に突出させる。即ち、規制位置では、連動アーム５６は、保持ピン５１を保持位置に位置付ける。【００７１】
許容位置では、連動アーム５６は、図１１に示すように、一端部５６ｂが再生機構部１５の再生機構部本体２２のテーパ面２７上から離脱して、再生機構部１５のトレー本体１４に対する変位を許容する。即ち、許容位置では、再生機構部１５は、トレー本体１４に対して変位自在となる。許容位置では、連動アーム５６の他端部４０ｂは、トレー本体１４内に略収容される。【００７２】
また、許容位置では、連動アーム５６は、保持ピン５１を保持ピン露出孔２０の最もＣＤ２の外縁寄りの端部に位置付けて、該保持ピン５１を湾曲面１９よりＣＤ２の外側に位置付ける。即ち、許容位置では、連動アーム５６は、保持ピン５１を離間位置に位置付ける。【００７３】
コイルばね５７は、一対の連動アーム５６の一端部５６ｂ間に掛け渡されている。コイルばね５７は、一端部５６ｂを互いに近づける方向に、一対の連動アーム５６を付勢している。こうして、コイルばね５７は、連動アーム５６を前記規制位置に向かって付勢している。即ち、コイルばね５７は、一端部５６ｂが再生機構部１５内に近づく方向に連動アーム５６を付勢している。なお、図示例では、コイルばね５７は、一つのみ設けられているが、本発明では、コイルばね５７を一対設けても良い。この場合も、コイルばね５７は、一端部５６ｂが互いに近づく方向に、一対の連動アーム５６を付勢するのが望ましい。【００７４】
ストッパ５８は、機器本体３の内面から凸に形成されている。ストッパ５８は、機器本体３内にトレー５が収容されると、該トレー５に取り付けられたスライド部材５０と接触して、当該スライド部材５０をトレー５上のＣＤ２から離す方向に移動する。【００７５】
前述した構成の連動機構８は、トレー５が機器本体３内に収容される（即ち、トレー５が収容位置に位置付けられる）と、連動アーム５６の他端部５６ｃがスライドシャーシ４２と接触して、該連動アーム５６が許容位置に位置付けられる。そして、連動機構８は、連動アーム５６が保持ピン５１を湾曲面１９よりＣＤ２の外側に位置付けるとともに、ストッパ５８がスライド部材５０をトレー５上のＣＤ２から離す。こうして、連動機構８は、トレー５が機器本体３内に収容される（即ち、トレー５が収容位置に位置付けられる）と、保持機構７を離間位置に位置付ける。【００７６】
また、前述した構成の連動機構８は、トレー５が機器本体３外に排出されて着脱位置に位置付けられると、連動アーム５６の他端部５６ｃがスライドシャーシ４２と接触せずに、該連動アーム５６の一端部５６ｂが再生機構部１５の再生機構部本体２２のテーパ面２７上に乗り上げる。このように、連動機構８は、連動アーム５６が規制位置に位置付けられる。そして、連動機構８は、連動アーム５６が保持ピン５１を湾曲面１９よりＣＤ２の中央寄りに位置付けるとともに、ストッパ５８がスライド部材５０と接触せずに、該スライド部材５０がトレー５上のＣＤ２に近づく。こうして、連動機構８は、トレー５が着脱位置に位置付けられると、保持機構７を保持位置に位置付ける。【００７７】
前述したように、連動機構８は、機器本体３外に排出されたトレー５の機器本体３寄りの一端部５ａに中央部５６ａを回転自在に設けられた連動アーム５６と、連動アーム５６の機器本体３から離れた側の一端部５６ｂが再生機構部１５に近づく方向に付勢するコイルばね５７と、を備えている。そして、連動機構８は、連動アーム５６の中央部５６ａと一端部５６ｂとの間に保持機構７の一部としての保持ピン５１を設け、かつトレー５がインパネ４に沿う状態になると連動アーム５６の一端部５６ｂが再生機構部１５を押圧して再生機構部１５のトレー本体１４に対する変位を規制する。さらに、連動機構８は、トレー５が機器本体３内に収容されるとコイルばね５７の付勢力に抗して連動アーム５６の一端部５６ｂが再生機構部１５から離間して、再生機構部１５のトレー本体１４に対する変位を許容しかつ保持機構７の一部としての保持ピン５１をＣＤ２から離間させる。【００７８】
前述した構成のＣＤプレーヤ１は、以下のように、動作する。図１に示すように、機器本体３内にトレー５を収容した状態（則ち、トレー５が収容位置に位置付けられた状態）で、トレー５を機器本体３外に排出する際には、まず、スイッチ１３のうちトレー５を機器本体３外に排出するため（引き出し用）の則ちトレー５を着脱位置に位置付けるためのスイッチ１３が操作される。なお、収容位置では、ストッパ５８によってスライド部材５０が押圧されているとともに、連動アーム５６によって保持ピン５１が保持ピン露出孔２０の奥に位置付けられている。即ち、収容位置では、連動機構８によって保持機構７が、離間位置に位置付けられている。【００７９】
前述したスイッチ１３が操作されると、まず、再生機構部１５の駆動機構が駆動して、光ピックアップ２４を回転テーブル２３に最も近づける。すると、光ピックアップ２４のピックアップケース３６の侵入部３７がターンテーブル２９の円板部３２と可動部材３０との間に侵入して、これらを互いに離して、突没部材３１をターンテーブル２９の円板部３２の孔３４内に没せさせて、当該突没部材３１がアンクランプ位置に位置付けられる。【００８０】
また、前述したスイッチ１３が操作されると、モータ４３が正転駆動して、ラック４１上をウォーム歯車４４が走行して、図２に示すように、機器本体３内からトレー５が徐々に排出される。そして、モータ４３が予め定められた所定の回転数正転駆動すると、当該モータ４３が停止する。すると、トレー５が、図３に示すように、露出位置に位置付けられる。なお、トレー５が収容位置から露出位置に向かって移動するのにしたがって、ストッパ５８からスライド部材５０が離れる。このため、トレー５が収容位置から露出位置に向かって移動するのにしたがって、スライド部材５０がストッパ５８と徐々に干渉しなくなり、スライド部材５０がトレー本体１４に対して相対的に機器本体３に向かって移動する。そして、トレー５が露出位置に位置付けられると、スライド部材５０が保持位置に位置付けられる。【００８１】
その後、モータ４６が正転駆動して、トレー５が一端部５ａを中心として、機器本体３から離れた側の他端部５ｂが徐々に降下する方向に回転する（即ち、トレー５が徐々に立ち下がる）。そして、モータ４６が予め定められた所定の回転数正転駆動すると、当該モータ４６が停止する。すると、トレー５が、図４に示すように、着脱位置に位置付けられる。この着脱位置では、勿論、トレー５が機器本体３に対して略直交した格好となっている。【００８２】
なお、トレー５が露出位置から着脱位置に向かって移動するのにしたがって、連動アーム５６の他端部５６ｃがスライドシャーシ４２から徐々に離れる。すると、連動アーム５６がコイルばね５７によって一端部５６ｂ同士が近づく方向に付勢されているので、当該連動アーム５６が、一端部５６ｂ同士が近づく方向に徐々に回転する。【００８３】
すると、連動アーム５６の一端部５６ｂが再生機構部本体２２のテーパ面２７上に乗り上げて、当該再生機構部本体２２即ち再生機構部１５を押圧する。そして、トレー５が着脱位置に位置付けられると、連動アーム５６が規制位置に位置付けられて、当該再生機構部本体２２即ち再生機構部１５がトレー本体１４に対して変位することが規制される。さらに、連動アーム５６の回転に伴って、保持ピン５１がトレー本体１４の中央に向かって徐々に移動する。そして、トレー５が着脱位置に位置付けられると、保持ピン５１が湾曲面１９から突出して、保持ピン５１が保持位置に位置付けられる。【００８４】
こうして、連動アーム５６が規制位置に位置付けられ、保持機構７が保持位置に位置付けられて、トレー５が着脱位置に位置付けられる。そして、ＣＤ２がトレー５に着脱される。ＣＤ２をトレー５に取り付ける際には、該ＣＤ２などでスライド部材５０と一対の保持ピン５１などを一旦互いに離れる方向に押圧した後、これらの間にＣＤ２を挟む。スライド部材５０と一対の保持ピン５１との間に挟まると、ＣＤ２は、回転テーブル２３のターンテーブル２９などと同軸に位置付けられるとともに、該ターンテーブル２９の表面上に載置される。また、ＣＤ２をトレー５から取り外す際には、スライド部材５０と一対の保持ピン５１などを一旦互いに離れる方向に押圧した後、これらの間からＣＤ２を取り外す。【００８５】
トレー５を機器本体３内に収容する際には、即ち、トレー５が着脱位置から収容位置に向かって移動する際には、先ほどと逆にモータ４３，４６が動作する。まず、モータ４６が予め定められた所定回転数逆転駆動する。すると、トレー５が露出位置に位置付けられる。このとき、トレー５が着脱位置から露出位置に向かって移動するのに連動して、連動アーム５６の他端部５６ｃがスライドシャーシ４２などによって押圧されて、コイルばね５７の付勢力に抗して一端部５６ｂ同士が離れる方向に、連動アーム５６が徐々に回転する。すると、連動アーム５６の一端部５６ｂが再生機構部本体２２のテーパ面２７上から徐々に離脱するとともに、保持ピン５１がトレー５の外側に向かって徐々に移動する。そして、トレー５が露出位置に位置付けられると、連動アーム５６が許容位置に位置付けられて、再生機構部本体２２即ち再生機構部１５がトレー本体１４に対して変位自在となるとともに、保持ピン５１が離間位置に位置付けられる。【００８６】
モータ４６が予め定められた所定回転数逆転駆動してから当該モータ４６が停止して、トレー５が露出位置に位置付けられた後、モータ４３が、予め定められた所定回転数逆転駆動する。すると、トレー５が収容位置に位置付けられる。このとき、トレー５が露出位置から収容位置に向かって移動するのに連動して、スライド部材５０がストッパ５８に徐々に近づくとともに、当該ストッパ５８に接触する。そして、ストッパ５８からスライド部材５０がトレー５の外側に向かって押圧されて、該スライド部材５０がトレー５の外側に向かって移動する。トレー５が収容位置に位置付けられると、スライド部材５０が離間位置に位置付けられる。こうして、トレー５のトレー本体１４に対してＣＤ２が移動自在となる。【００８７】
ＣＤプレーヤ１は、機器本体３内に収容したトレー５上のＣＤ２を再生する際には、再生機構部１５の駆動機構を駆動して、光ピックアップ２４を回転テーブル２３から離れる方向に移動させる。すると、光ピックアップ２４のピックアップケース３６の侵入部３７がターンテーブル２９の円板部３２と可動部材３０との間から抜け出て、コイルばね３５の付勢力によって、ターンテーブル２９の円板部３２に可動部材３０が密に重なって、突没部材３１が、ターンテーブル２９の表面３２ａから突出して、当該突没部材３１がクランプ位置に位置付けられる。そして、トレー５の再生機構部１５が、ＣＤ２をクランプして、スピンドルモータ２８がＣＤ２を回転しながらピックアップが当該ＣＤ２から情報を読み出す。【００８８】
本実施例によれば、機器本体３外に排出したトレー５を、該機器本体３が取り付けられた壁面としてのインパネ４に沿う状態（着脱位置）まで回転することで、該トレー５にＣＤ２を着脱しやすくしている。こうすることで、ＣＤプレーヤ１は、ＣＤ２の着脱に集中できない状態であっても、トレー５にＣＤ２を着脱しやすくすることができ、トレー５を不意に押圧することを防止して、トレー５を移動する移動機構６などの不意な破損を防止できる。【００８９】
トレー５のトレー本体１４にＣＤ２を保持する保持機構７を設け、トレー５が機器本体３内に収容されると保持機構７をＣＤ２から離間させる連動機構８を備えている。このため、インパネ４に沿うトレー５にＣＤ２を確実に保持できかつトレー５が機器本体３に収容されるとＣＤ２の再生動作を保持機構７が妨げることがない。【００９０】
また、連動機構８が、トレー５が機器本体３外の着脱位置に位置付けられると、トレー本体１４に変位自在に設けられた再生機構部１５を押圧して当該再生機構部１５の変位を規制している。このため、トレー本体１４に対する変位が規制された再生機構部１５にＣＤ２を着脱できるので、該ＣＤ２をトレー５により容易に着脱できる。したがって、トレー５を不意に押圧することを確実に防止して、トレー５を移動する移動機構６などの不意な破損を確実に防止できる。【００９１】
さらに、連動機構８が、連動アーム５６とコイルばね５７とを備えても良い。この場合、簡便な構成で保持機構７を移動させることができかつ再生機構部１５の変位を規制できる。したがって、連動機構８や保持機構７などの小型化を図ることができ、ＣＤプレーヤ１自体の小型化を図ることができる。【００９２】
前述した実施例では、記録媒体として、ディスク形記録媒体としてのＣＤ２を示している。しかしながら、本発明では、例えば、記録媒体としてのＭＤ（Mini Disc）、ＤＶＤ（Digital VersatileDisc）などの他の記録媒体を用いても良い。また、本発明では、ディスク形に限らず種々の形状の記録媒体を用いても良い。【００９３】
また、前述した実施例では、記録媒体から情報を読み出す（情報を再生する）ＣＤプレーヤ１を示している。しかしながら、本発明では、記録媒体から情報を読み出す情報処理装置に限ることなく、例えば、情報を記録媒体に記録する記録装置や、情報の再生及び記録を行う情報記録再生装置としても適用可能しても良い。【００９４】
さらに、前述した実施例では、露出位置と着脱位置との間で、トレー５を機器本体３に対して略９０度回転している。しかしながら、本発明では、９０度に限らず種々の角度、トレー５を機器本体３に対して回転しても良い。【００９５】
なお、前述した実施例は本発明の代表的な形態を示したに過ぎず、本発明は、実施例に限定されるものではない。即ち、本発明の骨子を逸脱しない範囲で種々変形して実施することができる。【００９６】
前述した実施例によれば、以下のＣＤプレーヤ１が得られる。【００９７】
（付記）  機器本体３と、
ＣＤ２を保持可能でかつ前記機器本体３に出し入れ自在に設けられたトレー５と、
を備えたＣＤプレーヤ１において、
前記機器本体３から前記トレー５を排出した後に、当該トレー５の一端部５ａを中心として回動して、当該トレー５を前記機器本体３が取り付けられたインパネ４に沿わせた状態にする移動機構６と、
を備えたことを特徴とするＣＤプレーヤ１。【００９８】
付記に記載のＣＤプレーヤ１は、機器本体３外に排出したトレー５を、該機器本体３が取り付けられたインパネ４に沿う状態まで回転することで、該トレー５にＣＤ２を着脱しやすくしている。こうすることで、ＣＤプレーヤ１は、ＣＤ２の着脱に集中できない状態であっても、トレー５にＣＤ２を着脱しやすくすることができ、トレー５を不意に押圧することを防止して、トレー５を移動する移動機構６などの不意な破損を防止できる。
【図１】
2008062510.tif 000003
【図２】
2008062510.tif 000004
【図３】
2008062510.tif 000005
【図４】
2008062510.tif 000006
【図５】
2008062510.tif 000007
【図６】
2008062510.tif 000008
【図７】
2008062510.tif 000009
【図８】
2008062510.tif 000010
【図９】
2008062510.tif 000011
【図１０】
2008062510.tif 000012
【図１１】
2008062510.tif 000013
【図１２】
2008062510.tif 000014
【図１３】
2008062510.tif 000015
【図１４】
2008062510.tif 000016
【図１５】
2008062510.tif 000017
【図１６】
2008062510.tif 000018
【手続補正書】
【提出日】平成21年4月20日(2009.4.20)
【手続補正１】
【補正対象書類名】明細書
【補正対象項目名】全文
【補正方法】変更
【補正の内容】
【発明の詳細な説明】
【技術分野】
【０００１】
本発明は、例えば、Compact Discなどの記録媒体から情報を読み出す情報処理装置に関する。
【背景技術】
【０００２】
例えば、移動体としての自動車のインストルメントパネル（以下インパネと呼ぶ）には、情報処理装置としてのＣＤプレーヤ（例えば、特許文献１及び特許文献２参照）が取り付けられる。ＣＤプレーヤは、記録媒体としてのCompact Disc（以下ＣＤと呼ぶ）が記録した情報を読み出す。
【０００３】
特許文献１に示されたＣＤプレーヤは、前記インパネに取り付けられる機器本体と、前記機器本体に開口した記録媒体挿入口と、ＣＤを機器本体の内外に出し入れする搬送ユニットと、前記ＣＤに記録された情報を読み出すための再生ユニット等を備えている。機器本体は、複数の板金などが互いに組み付けられて箱状に形成されたシャーシを備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
再生ユニットは、前記ＣＤを回転するために回転テーブルと、前記ＣＤに記録された情報を読み出すための光ピックアップ等を備えている。再生ユニットは、前記ＣＤを前記再生位置に位置決め（クランプ）して、回転テーブルがＣＤを回転して、光ピックアップが前記ＣＤに記録された情報を読み出す。
【０００７】
前記ＣＤが記録媒体挿入口を通して機器本体内に挿入されると、まず、ＣＤが前記一対の挟持部材間に挟まれる。搬送ローラの回転によってＣＤが機器本体内に搬送される。
【０００８】
そして、前記ＣＤは再生ユニットにクランプされて、回転テーブルがＣＤを回転させて、該再生ユニットによって情報を取り出される。情報処理装置は、取り出された情報を音声として出力する。ＣＤを機器本体外に搬出する際には、まず、回転テーブルの回転を止める。搬送ユニットの搬送ローラを先ほどとは逆方向に回転させて、ＣＤを記録媒体挿入口内に通して機器本体内から機器本体外に徐々に搬送する。
【０００９】
前述した特許文献１に示されたＣＤプレーヤは、搬送ローラの回転駆動力のみによって、ＣＤを機器本体の内外に搬送してきた。このため、ＣＤの外表面に油分や塵埃などが付着して、当該ＣＤの外表面が汚れていると、特に機器本体外に排出するＣＤと搬送ローラとが互いに滑って、ＣＤを排出できなくなることがあった。
【００１０】
この種の問題を解決するために、特許文献２に示されたＣＤプレーヤは、機器本体にＣＤを保持するトレーを出し入れ自在としている。
【先行技術文献】
【特許文献】
【００１１】
【特許文献１】特開２０００−２０７８０２号公報
【特許文献２】特開２００３−１１５１５１号公報
【発明の概要】
【発明が解決しようとする課題】
【００１２】
前述した特許文献２に示されたＣＤプレーヤは、機器本体から排出されたトレーが水平な状態に保たれるために、ＣＤをトレーに装着しにくかった。特に、前述したＣＤプレーヤは、前述した自動車に搭載されると、運転者がＣＤの着脱に集中することが困難で、不意にトレーを強く押圧するなどして不意にトレーの移動機構などを破損する虞があった。
【００１３】
したがって、本発明の目的は、例えば、破損させることなく、記録媒体を確実に機器本体に出し入れすることを可能とする情報処理装置を提供することにある。
【課題を解決するための手段】
【００１４】
前記課題を解決し目的を達成するために、請求項１に記載の本発明の情報処理装置は、機器本体と、トレー本体と、該トレー本体に記録媒体を保持する保持位置と前記トレー本体上の記録媒体から離間した離間位置とに亘って移動自在に設けられた保持機構と、を備えて、前記機器本体に出し入れ自在に設けられたトレーと、を備えた情報処理装置において、前記機器本体から前記トレーを排出した後に、当該トレーの一端部を中心として回動して、当該トレーを前記機器本体が取り付けられた壁面に沿わせた状態にする移動機構と、前記トレーが前記機器本体外に排出されて前記壁面に沿う状態になると前記保持機構を保持位置に位置付け、かつ前記トレーが前記機器本体内に収容されると前記保持機構を離間位置に位置付ける連動機構と、を備えたことを特徴としている。
【図面の簡単な説明】
【００１５】
【図１】本発明の一実施例にかかる情報処理装置としてのＣＤプレーヤの外観を示す斜視図である。
【図２】図１に示されたＣＤプレーヤの機器本体内からトレーが排出され始めた状態を示す斜視図である。
【図３】図２に示されたＣＤプレーヤのトレーが露出位置に位置付けられた状態を示す斜視図である。
【図４】図３に示されたＣＤプレーヤのトレーが着脱位置に位置付けられた状態を示す斜視図である。
【図５】図１に示されたＣＤプレーヤの収容位置に位置付けられたトレーに取り付けられた保持機構と連動機構などの状態を示すトレーの平面図である。
【図６】図１に示されたＣＤプレーヤの着脱位置に位置付けられたトレーに取り付けられた保持機構と連動機構などの状態を示すトレーの平面図である。
【図７】図１に示されたＣＤプレーヤのトレーが収容位置に位置付けられたときの移動機構などを示す側断面図である。
【図８】図１に示されたＣＤプレーヤのトレーが露出位置及び着脱位置に位置付けられたときの移動機構などを示す側断面図である。
【図９】図１に示されたＣＤプレーヤの再生機構部の突没部材がクランプ位置に一付けられた状態の回転テーブルの断面図である。
【図１０】図１に示されたＣＤプレーヤの再生機構部の突没部材がアンクランプ位置に一付けられた状態の回転テーブルの断面図である。
【図１１】図５中のＸＩ−ＸＩ線に沿う断面図である。
【図１２】図６中のＸＩＩ−ＸＩＩ線に沿う断面図である。
【図１３】図６中のＸＩＩＩ−ＸＩＩＩ線に沿う断面図である。
【図１４】図５中のＸＩＶ−ＸＩＶ線に沿う断面図である。
【図１５】図６中のＸＶ−ＸＶ線に沿う断面図である。
【図１６】図５中のＸＶＩ−ＸＶＩ線に沿う断面図である。
【発明を実施するための形態】
【００１６】
以下、本発明の一実施形態にかかる情報処理装置を説明する。本発明の一実施形態にかかる情報処理装置は、機器本体外に排出したトレーを、該機器本体が取り付けられた壁面に沿う状態まで回転することで、該トレーに記録媒体を着脱しやすくしている。こうすることで、情報処理装置は、記録媒体の着脱に集中できない状態であっても、トレーに記録媒体を着脱しやすくすることで、トレーを不意に押圧することを防止して、トレーを移動する機構などの不意な破損を防止している。
【００１７】
トレーのトレー本体に記録媒体を保持する保持機構を設け、トレーが機器本体内に収容されると保持機構を記録媒体から離間させる連動機構を備えても良い。この場合、壁面に沿うトレーに記録媒体を確実に保持できかつトレーが機器本体に収容されると記録媒体の再生動作を保持機構が妨げることがない。
【００１８】
また、連動機構が、トレー本体に変位自在に設けられた再生機構部を押圧して当該再生機構部の変位を規制するようにしても良い。この場合、トレー本体に対する変位が規制された再生機構部に記録媒体を着脱できるので、該記録媒体をトレーにより容易に着脱できる。
【００１９】
さらに、連動機構が、アーム部と付勢手段とを備えても良い。この場合、簡便な構成で保持機構を移動させることができかつ再生機構部の変位を規制できる。
【実施例】
【００２０】
以下、本発明の実施例にかかる情報処理装置の一例としてのＣＤプレーヤ１を、図１ないし図１６に基づいて説明する。図１などに示すＣＤプレーヤ１は、移動体としての自動車のインストルメントパネル（以下、インパネと呼ぶ）４（図７及び図８中に一点鎖線で示す）などに取り付けられて、外径が例えば１２ｃｍの記録媒体としてのＣＤ２を後述する機器本体３内に収容して、該ＣＤ２に記録された情報を読み出して（再生して）音声として出力する。インパネ４は、特許請求の範囲に記載された機器本体３が取り付けられた壁面をなしている。
【００２１】
なお、ＣＤ２は、勿論、ディスク形に形成されており、特許請求の範囲に記載された記録媒体をなしているとともに、円板状のコンピュータなどの電子機器で情報を読み取り可能な記録媒体である。
【００２２】
ＣＤプレーヤ１は、図１ないし図４に示すように、機器本体３と、トレー５と、移動機構６（図７及び図８に示す）と、連動機構８（図５及び図６に示す）とを備えている。なお、以下、機器本体３内に収容されたＣＤ２の表面とトレー５の移動方向Ｋとの双方と平行な図１中の矢印ＹをＣＤプレーヤ１の奥行き方向と記し、機器本体３内に収容されたＣＤ２の表面と平行でかつ前記奥行き方向Ｙと直交する矢印ＸをＣＤプレーヤ１の幅方向と記し、機器本体３内に収容されたＣＤ２の表面と奥行き方向Ｙと幅方向Ｘの全てと直交する矢印ＺをＣＤプレーヤ１の厚み方向と記す。
【００２３】
機器本体３は、インパネ４に取り付けられる。機器本体３は、扁平な箱状に形成されている。機器本体３のインパネ４に取り付けられると露出する前面３ａには、トレー通し孔９が一つのみ設けられている。なお、前面３ａは、機器本体３即ちＣＤプレーヤ１がインパネ４に取り付けられると、該インパネ４の外側に露出する機器本体３の一つの面である。
【００２４】
トレー通し孔９は、機器本体３の前面３ａを貫通している。トレー通し孔９は、扁平な矩形状に形成されており、内側にトレー５を通すことができる。トレー通し孔９を通して、前記トレー５は、図１中の前面３ａに対して交差（図示例では直交）する奥行き方向Ｙに沿って移動して、機器本体３に出し入れされる。
【００２５】
さらに、前述した前面３ａには、表示パネルとしての蛍光表示管１２と、各種のスイッチ１３とが設けられている。
【００２６】
蛍光表示管１２は、前面３ａに露出して、使用者に対し各種の情報を表示する表示領域としての表示面を備えている。蛍光表示管１２は、表示面に再生中のプログラム名等の情報を表示する。
【００２７】
各種のスイッチ１３は、使用者が操作するための操作部を構成している。スイッチ１３が使用者などに操作されることによって、例えば、後述する再生機構部１５が再生するＣＤ２のプログラムの選択や、トレー５の出し入れなどが行われる。
【００２８】
トレー５は、図５及び図６に示すように、平面形が矩形状のトレー本体１４と、再生機構部１５と、保持機構７とを備えている。トレー本体１４は、全体として扁平な箱状に形成された本体部１６と、前面板１７と、ＣＤ位置決め段部１８とを備えている。本体部１６は、前述したトレー通し孔９よりも薄い扁平な箱状に形成されている。前面板１７は、本体部１６のトレー５が機器本体３内に収容されると、前面３ａと略面一となる表面に取り付けられており、トレー通し孔９と略同じ形状に形成されている。前面板１７は、トレー５が機器本体３内に収容されると前面３ａと略面一となって、トレー通し孔９を塞いで当該トレー通し孔９内に異物が侵入することを規制する。
【００２９】
ＣＤ位置決め段部１８は、本体部１６の図３中上方に位置する上面から凸に形成されており、当該本体部１６との間に段差を設けている。ＣＤ位置決め段部１８は、トレー５が機器本体３外に排出されると、本体部１６の機器本体３寄りの端部に設けられている。ＣＤ位置決め段部１８の機器本体３から離れた側には、ＣＤ２の外縁に沿って湾曲した湾曲面１９が形成されている。湾曲面１９の平面形状は、ＣＤ２の外縁に沿って円弧状に形成されている。ＣＤ位置決め段部１８は、湾曲面１９の内側にＣＤ２を位置付けて、当該ＣＤ２をトレー本体１４に対して概略位置決めする。即ち、トレー本体１４の本体部１６上には、ＣＤ２が置かれる。
【００３０】
また、ＣＤ位置決め段部１８と本体部１６とに亘って、保持ピン露出孔２０が貫通している。保持ピン露出孔２０は、図示例では、二つ設けられ、互いに幅方向Ｘに沿って間隔をあけて配置されている。保持ピン露出孔２０は、ＣＤ位置決め段部１８の湾曲面１９に開口しており、ＣＤ位置決め段部１８の湾曲面１９の径方向に沿って延びている。保持ピン露出孔２０は、保持機構７の後述する保持ピン５１を内側に位置付けて、当該保持ピン５１を保持ピン露出孔２０の長手方向に沿って移動自在としている。
【００３１】
さらに、トレー本体１４の機器本体３即ち移動機構６の後述するスライド部３９のスライドシャーシ４２と相対する端面には、図４に示すように、連動機構８の後述する連動アーム５６の主に他端部５６ｃが通る貫通孔５９が開口している。
【００３２】
また、トレー本体１４の本体部１６の中央部には、再生機構部取付孔２１が開口している。再生機構部取付孔２１は、本体部１６の上面を貫通している。
【００３３】
再生機構部１５は、図５及び図６などに示すように、再生機構部本体２２と、回転テーブル２３と、光ピックアップ２４などを備えている。再生機構部本体２２は、板金を折り曲げられて得られ、前記再生機構部取付孔２１を略塞いだ格好に配置される平坦壁２５を備えている。平坦壁２５には、当該平坦壁２５を貫通したピックアップ露出孔２６が設けられている。ピックアップ露出孔２６は、再生機構部取付孔２１の外縁部から中央部に向かって直線状に延在している。
【００３４】
また、再生機構部本体２２即ち再生機構部１５は、ゴムなどの弾性体などで構成された図示しないダンパによって、前記トレー本体１４に対し移動自在に、該トレー本体１４内に支持される。
【００３５】
さらに、再生機構部本体２２の平坦壁２５の後述する連動アーム５６の一端部２６ｂと相対する縁部には、テーパ面２７が形成されている。このテーパ面２７は、連動アーム５６の一端部５６ｂに近づくのにしたがって即ち再生機構部本体２２の外側に向かうにしたがって当該再生機構部本体２２の厚みを徐々に薄くする方向に傾斜している。
【００３６】
回転テーブル２３は、再生機構部取付孔２１即ちトレー本体１４の中央に位置するように、再生機構部本体２２に取り付けられている。回転テーブル２３は、図９及び図１０に示すように、スピンドルモータ２８と、ターンテーブル２９と、可動部材３０と、複数の突没部材３１とを備えている。スピンドルモータ２８は、再生機構部取付孔２１即ちトレー本体１４の中央に位置するように、再生機構部本体２２に固定されている。スピンドルモータ２８は、その出力軸がトレー本体１４の上方に向かって立設する格好で配置されている。
【００３７】
ターンテーブル２９は、互いに同軸な円板状の円板部３２と該円板部３２に連なる円筒部３３とを備えている。円筒部３３は、スピンドルモータ２８の出力軸の外周に嵌合するなどして、当該出力軸に取り付けられている。円板部３２は、再生機構部本体２２の平坦壁２５上に露出している。円板部３２の平坦壁２５上に露出した表面３２ａには、ＣＤ２が載置される。ターンテーブル２９は、表面３２ａ上に置かれたＣＤ２と同軸となる。
【００３８】
また、円板部３２には、孔３４が複数設けられている。勿論、孔３４は、円板部３２を貫通している。図示例では、孔３４は、三つ設けられている。これらの孔３４は、円板部３２即ちターンテーブル２９の周方向に沿って並べられ、当該周方向に等間隔に配されている。
【００３９】
前述した構成のターンテーブル２９は、スピンドルモータ２８によって、軸芯を中心として回転駆動される。
【００４０】
可動部材３０は、円環状に形成されている。可動部材３０は、内側にターンテーブル２９の円筒部３３を通している。可動部材３０は、円板部３２とスピンドルモータ２８の本体部との間に配置されている。可動部材３０は、円筒部３３に対し軸芯に沿って移動自在に支持されている。このため、可動部材３０は、ターンテーブル２９の円板部３２に接離自在となっている。
【００４１】
なお、本明細書でいう接離するとは、互いに近づいたり離れたりすることである。また、可動部材３０は、スピンドルモータ２８の本体部との間に設けられたコイルばね３５によって、円板部３２に近づく方向に付勢されている。
【００４２】
突没部材３１は、図９及び図１０に示すように、側方からみて、略く字状に形成されている。突没部材３１は、ターンテーブル２９の円板部３２と可動部材３０との間でかつ前記孔３４内に設けられている。このため、突没部材３１は、ターンテーブル２９と可動部材３０との間に配されている。
【００４３】
突没部材３１は、一端部が前記孔３４を通して表面３２ａから突出するクランプ位置（図９に示す）と、一端部が表面３２ａに没するアンクランプ位置（図１０に示す）と、に亘って変位自在に、他端部が可動部材３０に回転自在に支持されている。一端部は、図９に示すように、可動部材３０がターンテーブル２９の円板部３２に近づいて密に接触すると、表面３２ａから突出する。
【００４４】
一端部は、図１０に示すように、可動部材３０がターンテーブル２９の円板部３２から離れると、他端部を中心として突没部材３１自体が回転することで下方に変位する。そして、突没部材３１は、可動部材３０がターンテーブル２９の円板部３２から離れると、孔３４内に没する。
【００４５】
光ピックアップ２４は、前記ＣＤ２に記録されている情報を読み出す。光ピックアップ２４は、ピックアップ露出孔２６内に配置され、図示しない駆動機構などによって、当該ピックアップ露出孔２６の長手方向即ち回転テーブル２３上に配置されたＣＤ２の径方向に沿って移動する。
【００４６】
光ピックアップ２４は、ピックアップケース３６と、ピックアップとを備えている。ピックアップケース３６は、絶縁性の合成樹脂で構成され、扁平な箱状に形成されている。ピックアップケース３６は、駆動機構によって、ピックアップ露出孔２６の長手方向即ち回転テーブル２３上に配置されたＣＤ２の径方向に沿って移動される。ピックアップケース３６には、該ピックアップケース３６即ち光ピックアップ２４が最も回転テーブル２３に近づくと、ターンテーブル２９の円板部３２と可動部材３０との間に侵入して、これらを互いに離す侵入部３７（図１０に示す）が一体に形成されている。侵入部３７は、勿論、ピックアップケース３６から回転テーブル２３に向かって凸に形成され、かつ該回転テーブル２３に近づくのにしたがって徐々に厚みが薄くなるように先細に形成されている。
【００４７】
ピックアップは、ピックアップケース３６内に収容されており、ＣＤ２に向かってレーザ光を照射して、当該ＣＤ２に記録された情報を読み出す。
【００４８】
前述した再生機構部１５は、光ピックアップ２４が最も回転テーブル２３に近づいた状態で当該回転テーブル２３上にＣＤ２が載置される。そして、再生機構部１５は、光ピックアップ２４が回転テーブル２３から離れて、突没部材３４がＣＤ２の中央孔の内縁に係止して、回転テーブル２３がＣＤ２をクランプする（取り付ける）。そして、再生機構部１５は、回転テーブル２３でＣＤ２を回転させて、光ピックアップ２４で該ＣＤ２に記録されている情報を読み出す。
【００４９】
そして、再生機構部１５は、前記自動車の走行中の振動によって機器本体３が振動しても、前記ダンパなどによって、トレー本体１４即ち機器本体３に対し移動する。このように、前記ダンパなどは、前記自動車の走行中の振動などが前記ＣＤ２に記録されている情報を読み出す作業に悪影響を与えることを防止する。
【００５０】
保持機構７は、図５及び図６に示すように、スライド部材５０と、保持ピン５１とを備えている。スライド部材５０は、機器本体３外に排出された状態のトレー５のトレー本体１４の本体部１６の機器本体３から離れた側の他端部５ｂに、トレー５上に載置されるＣＤ２の径方向に沿ってスライド自在に設けられている。
【００５１】
スライド部材５０の機器本体３寄りの端部には、ＣＤ２の外縁に沿って平面形状が円弧状に形成された湾曲面５２と、ＣＤ位置決め凸部５３（図４などに示す）とが設けられている。ＣＤ位置決め凸部５３は、湾曲面５２のトレー本体１４の本体部１６から離れた側の縁から凸に湾曲面５２の全長に亘って設けられている。
【００５２】
スライド部材５０は、トレー５上に載置されるＣＤ２の中央に向かって図示しないばねなどによって付勢されているとともに、湾曲面５２がトレー５のトレー本体１４上のＣＤ２の外縁と略面一となる位置よりも該ＣＤ２の中央に向かって変位することが図示しないストッパなどによって規制されている。また、スライド部材５０は、所定の位置以上に前面板１７側へ変位することが図示しないゴムやダンパなどの緩衝部材によって規制されている。これにより、後述のようにＣＤ２を着脱する際に、ＣＤ２に押圧されるスライド部材５０の前面板１７側への変位が規制されるとともに、ＣＤ２に押圧されることでスライド部材５０へ加わる力が緩衝される。
【００５３】
保持ピン５１は、連動機構８の連動アーム５６の中央部５６ａと機器本体３から離れた側の一端部５６ｂとの間に設けられ、かつ当該連動アーム５６から立設している。保持ピン５１は、図１５及び図１６に示すように、互いに同軸でかつそれぞれが円柱状に形成された細部５４と、太部５５とを一体に備えている。細部５４は、太部５５よりも連動アーム５６寄りに配置されている。保持ピン５１は、保持ピン露出孔２０内に位置付けられて、連動アーム５６が中央部５６ａを中心として回転することで、当該保持ピン露出孔２０内を移動する。保持ピン５１の細部５４と太部５５との双方は、保持ピン露出孔２０内を通して、トレー５外に露出する。
【００５４】
また、保持ピン５１は、保持ピン露出孔２０内において、トレー５のトレー本体１４上のＣＤ２の最も中央寄りに位置付けられると、太部５５が該ＣＤ２の外縁よりも該ＣＤ２の中央寄りに位置付けられる。保持ピン５１は、保持ピン露出孔２０内において、トレー５のトレー本体１４上のＣＤ２の最も外側寄りに位置付けられると、太部５５が該ＣＤ２の外縁よりも該ＣＤ２の外側に位置付けられる。
【００５５】
前述した保持機構７は、トレー５が前述した機器本体３外に排出されて前述した着脱位置に位置付けられると、スライド部材５０が後述のストッパ５８と接触せずに、図１３に示すように、最もトレー５上のＣＤ２に近づいた状態となり、保持ピン５１が連動機構８によって、図１５に示すように、最もトレー５上のＣＤ２に近づいた状態となる。そして、保持機構７は、図１３に示すように、スライド部材５０のＣＤ位置決め凸部５３とトレー本体１４の本体部１６との間にＣＤ２の外縁部を位置付け、かつ、図１５に示すように、保持ピン５１の太部５５とトレー本体１４の本体部１６との間にＣＤ２の外縁部を位置付けて、当該ＣＤ２をトレー５のトレー本体１４の本体部１６に保持する。これらのスライド部材５０と保持ピン５１の最もトレー５上のＣＤ２に近づいた位置を保持位置という。
【００５６】
また、前述した保持機構７は、トレー５が前述した機器本体３内に収容された収容位置に位置付けられると、スライド部材５０がストッパ５８と接触して、図１４に示すように、トレー５上のＣＤ２の外縁から離間した状態となり、保持ピン５１が連動機構８によって、図１６に示すように、トレー５上のＣＤ２の外縁から離間した状態となる。そして、保持機構７は、図１４及び図１６に示すように、スライド部材５０と保持ピン５１との双方が、ＣＤ２と干渉せずに、再生機構部１５のＣＤ２からの情報の読み出しを妨げない。これらのスライド部材５０と保持ピン５１のトレー５上のＣＤ２の外縁から離間した位置を離間位置という。このように、保持機構７は、保持位置と離間位置に亘って移動自在に設けられている。前述したトレー５は、保持機構７によってＣＤ２を保持可能である。
【００５７】
移動機構６は、前述したトレー５を機器本体３に出し入れする。移動機構６は、図７及び図８に示すように、固定部３８と、スライド部３９と、回動部４０とを備えている。固定部３８は、ラック４１を備えている。ラック４１は、機器本体３内に収容されかつ該機器本体３に固定されている。ラック４１は、直線状に形成されており、その長手方向は、前述した前面３ａに対して直交する奥行き方向Ｙ即ち自動車の前後方向と平行に配置されている。ラック４１は、機器本体３の奥行き方向Ｙの全長に亘って設けられている。
【００５８】
スライド部３９は、スライドシャーシ４２と、駆動源としてのモータ４３と、ウォーム歯車４４とを備えている。スライドシャーシ４２は、板金などで構成されており、機器本体３外に排出された状態のトレー５の機器本体３寄りの一端部５ａを、幅方向Ｘを中心として回転自在に支持している。モータ４３は、スライドシャーシ４２に固定されている。モータ４３の出力軸にはウォーム４５が取り付けられている。ウォーム歯車４４は、スライドシャーシ４２に幅方向Ｘを中心として回転自在に支持されている。ウォーム歯車４４は、ウォーム４５とラック４１との双方と噛み合っている。
【００５９】
スライド部３９は、モータ４３が例えば正転駆動すると、ラック４１上をウォーム歯車４４が走行して、スライドシャーシ４２即ちトレー５を機器本体３内からトレー通し孔９を通して機器本体３外に向かって移動する。スライド部３９は、モータ４３が例えば逆転駆動すると、ラック４１上をウォーム歯車４４が走行して、スライドシャーシ４２即ちトレー５を機器本体３外からトレー通し孔９を通して機器本体３内に向かって移動する。
【００６０】
回動部４０は、モータ４６と、連結歯車４７と、回動軸用歯車４８とを備えている。モータ４６は、スライドシャーシ４２に固定されており、その出力軸にピニオン４９が取り付けられている。連結歯車４７は、スライドシャーシ４２に幅方向Ｘを中心として回転自在に支持されており、ピニオン４９と噛み合っている。回動軸用歯車４８は、トレー５の前述した一端部５ａに固定されている。回動軸用歯車４８は、連結歯車４７と噛み合っている。
【００６１】
前述した構成によって、回動部４０は、例えば、モータ４６が正転駆動すると、前述した一端部５ａを中心として、幅方向Ｘ回りに、機器本体３から離れた側の他端部５ｂが下方に向かうように、トレー５を回転して、水平方向に沿う状態（図８中に実線で示す）から鉛直方向に沿う状態（図８中に二点鎖線で示す）に、トレー５を変位させる。回動部４０は、モータ４６が逆転駆動すると、前述した一端部５ａを中心として、幅方向Ｘ回りにトレー５を回転して、鉛直方向に沿う状態から水平方向に沿う状態に、トレー５を変位させる。
【００６２】
前述した構成によって、移動機構６は、モータ４３が例えば正転駆動してウォーム歯車４４がラック４１上を走行して、スライドシャーシ４２則ちトレー５を機器本体３内に収容された収容位置（図７に示す）から機器本体３外に排出された露出位置（図８中に実線でに示す）に向かって、機器本体３の奥行き方向Ｙに沿って移動する。則ち、移動機構６は、モータ４３が例えば正転駆動すると、トレー通し孔９を通して、機器本体３内のトレー５を機器本体３外に排出させる。
【００６３】
また、移動機構６は、モータ４３が例えば逆転駆動すると、ウォーム歯車４４がラック４１上を走行して、スライドシャーシ４２則ちトレー５を前述の露出位置から収容位置に向かって、機器本体３の奥行き方向Ｙに沿って移動する。則ち、移動機構６は、モータ４３が例えば逆転駆動すると、トレー通し孔９を通して、機器本体３外のトレー５を機器本体３内に収容する。こうして、移動機構６は、機器本体３内に収容された収容位置と、機器本体３内から排出された露出位置とに亘って、トレー５などを移動する。
【００６４】
さらに、前述した構成によって、移動機構６は、モータ４６が例えば正転駆動すると、機器本体３内から排出されて則ち収容位置から移動されて露出位置（図８中に実線で示す）に位置付けられたトレー５を、前述した一端部５ａを中心として回転して、トレー５のトレー本体１４の本体部１６の上面が乗員室内の乗員などと相対する図８中に二点鎖線で示す着脱位置に向かって移動させる。
【００６５】
また、移動機構６は、モータ４６が例えば逆転駆動すると、前述した着脱位置に位置付けられたトレー５を、前述した一端部５ａを中心として回転して、トレー５のトレー本体１４の本体部１６の上面が上方に相対する前述した露出位置に向かって移動させる。このように、移動機構６は、トレー５を立ち下げるなどして、収容位置から移動されて位置する露出位置と、トレー本体１４の本体部１６の上面にＣＤ２を着脱自在とする着脱位置とに亘って、トレー５などを変位する。
【００６６】
なお、着脱位置では、トレー５は、インパネ４の外表面と略平行になる（即ち、インパネ４に沿う状態になり、着脱位置は、インパネ４に沿う状態をなしている）。このように、移動機構６は、機器本体３からトレー５を排出した後に、トレー５の一端部５ａを中心として回動して、トレー５を機器本体３が取り付けられたインパネ４に沿わせた状態にする。
【００６７】
連動機構８は、図５及び図６に示すように、一対の連動アーム５６と、付勢手段としてのコイルばね５７と、ストッパ５８（図７などに示す）とを備えている。
【００６８】
連動アーム５６は、その平面形状は、略く字状に形成されている。連動アーム５６は、トレー５のトレー本体１４に取り付けられ、かつ再生機構部１５よりＣＤプレーヤ１の奥側即ち機器本体３寄りに配されている。連動アーム５６は、長手方向の中央部５６ａがトレー本体１４に回転自在に支持されている。また、一対の連動アーム５６は、幅方向Ｘに沿って、互いに間隔をあけて配置されている。連動アーム５６は、中央部５６ａを中心として回転することで、機器本体３から離れた側の一端部５６ｂが再生機構部１５の再生機構部本体２２のテーパ面２７上に乗り上げる位置（以下規制位置と呼ぶ）と、一端部５６ｂが再生機構部１５のテーパ面２７上から離脱する位置（以下許容位置と呼ぶ）とに亘って、変位自在である。
【００６９】
規制位置では、連動アーム５６は、図１２に示すように、一端部５６ｂが再生機構部１５の再生機構部本体２２のテーパ面２７上に乗り上げて、再生機構部１５をトレー本体１４の底壁に向かって押圧して、再生機構部１５のトレー本体１４に対する変位を規制する。即ち、規制位置では、再生機構部１５は、トレー本体１４に対して変位しにくくなる。または、規制位置では、再生機構部１５は、トレー本体１４に対して変位しなくなる。規制位置では、連動アーム５６の他端部４０ｂは、トレー本体１４の貫通孔５９を通して、該トレー本体１４外に突出して、移動機構６のスライドシャーシ４２と接触可能となる。
【００７０】
また、規制位置では、連動アーム５６は、保持ピン５１を保持ピン露出孔２０の最もＣＤ２の中央寄りの端部に位置付けて、該保持ピン５１を湾曲面１９よりＣＤ２の中央側に突出させる。即ち、規制位置では、連動アーム５６は、保持ピン５１を保持位置に位置付ける。
【００７１】
許容位置では、連動アーム５６は、図１１に示すように、一端部５６ｂが再生機構部１５の再生機構部本体２２のテーパ面２７上から離脱して、再生機構部１５のトレー本体１４に対する変位を許容する。即ち、許容位置では、再生機構部１５は、トレー本体１４に対して変位自在となる。許容位置では、連動アーム５６の他端部４０ｂは、トレー本体１４内に略収容される。
【００７２】
また、許容位置では、連動アーム５６は、保持ピン５１を保持ピン露出孔２０の最もＣＤ２の外縁寄りの端部に位置付けて、該保持ピン５１を湾曲面１９よりＣＤ２の外側に位置付ける。即ち、許容位置では、連動アーム５６は、保持ピン５１を離間位置に位置付ける。
【００７３】
コイルばね５７は、一対の連動アーム５６の一端部５６ｂ間に掛け渡されている。コイルばね５７は、一端部５６ｂを互いに近づける方向に、一対の連動アーム５６を付勢している。こうして、コイルばね５７は、連動アーム５６を前記規制位置に向かって付勢している。即ち、コイルばね５７は、一端部５６ｂが再生機構部１５内に近づく方向に連動アーム５６を付勢している。なお、図示例では、コイルばね５７は、一つのみ設けられているが、本発明では、コイルばね５７を一対設けても良い。この場合も、コイルばね５７は、一端部５６ｂが互いに近づく方向に、一対の連動アーム５６を付勢するのが望ましい。
【００７４】
ストッパ５８は、機器本体３の内面から凸に形成されている。ストッパ５８は、機器本体３内にトレー５が収容されると、該トレー５に取り付けられたスライド部材５０と接触して、当該スライド部材５０をトレー５上のＣＤ２から離す方向に移動する。
【００７５】
前述した構成の連動機構８は、トレー５が機器本体３内に収容される（即ち、トレー５が収容位置に位置付けられる）と、連動アーム５６の他端部５６ｃがスライドシャーシ４２と接触して、該連動アーム５６が許容位置に位置付けられる。そして、連動機構８は、連動アーム５６が保持ピン５１を湾曲面１９よりＣＤ２の外側に位置付けるとともに、ストッパ５８がスライド部材５０をトレー５上のＣＤ２から離す。こうして、連動機構８は、トレー５が機器本体３内に収容される（即ち、トレー５が収容位置に位置付けられる）と、保持機構７を離間位置に位置付ける。
【００７６】
また、前述した構成の連動機構８は、トレー５が機器本体３外に排出されて着脱位置に位置付けられると、連動アーム５６の他端部５６ｃがスライドシャーシ４２と接触せずに、該連動アーム５６の一端部５６ｂが再生機構部１５の再生機構部本体２２のテーパ面２７上に乗り上げる。このように、連動機構８は、連動アーム５６が規制位置に位置付けられる。そして、連動機構８は、連動アーム５６が保持ピン５１を湾曲面１９よりＣＤ２の中央寄りに位置付けるとともに、ストッパ５８がスライド部材５０と接触せずに、該スライド部材５０がトレー５上のＣＤ２に近づく。こうして、連動機構８は、トレー５が着脱位置に位置付けられると、保持機構７を保持位置に位置付ける。
【００７７】
前述したように、連動機構８は、機器本体３外に排出されたトレー５の機器本体３寄りの一端部５ａに中央部５６ａを回転自在に設けられた連動アーム５６と、連動アーム５６の機器本体３から離れた側の一端部５６ｂが再生機構部１５に近づく方向に付勢するコイルばね５７と、を備えている。そして、連動機構８は、連動アーム５６の中央部５６ａと一端部５６ｂとの間に保持機構７の一部としての保持ピン５１を設け、かつトレー５がインパネ４に沿う状態になると連動アーム５６の一端部５６ｂが再生機構部１５を押圧して再生機構部１５のトレー本体１４に対する変位を規制する。さらに、連動機構８は、トレー５が機器本体３内に収容されるとコイルばね５７の付勢力に抗して連動アーム５６の一端部５６ｂが再生機構部１５から離間して、再生機構部１５のトレー本体１４に対する変位を許容しかつ保持機構７の一部としての保持ピン５１をＣＤ２から離間させる。
【００７８】
前述した構成のＣＤプレーヤ１は、以下のように、動作する。図１に示すように、機器本体３内にトレー５を収容した状態（則ち、トレー５が収容位置に位置付けられた状態）で、トレー５を機器本体３外に排出する際には、まず、スイッチ１３のうちトレー５を機器本体３外に排出するため（引き出し用）の則ちトレー５を着脱位置に位置付けるためのスイッチ１３が操作される。なお、収容位置では、ストッパ５８によってスライド部材５０が押圧されているとともに、連動アーム５６によって保持ピン５１が保持ピン露出孔２０の奥に位置付けられている。即ち、収容位置では、連動機構８によって保持機構７が、離間位置に位置付けられている。
【００７９】
前述したスイッチ１３が操作されると、まず、再生機構部１５の駆動機構が駆動して、光ピックアップ２４を回転テーブル２３に最も近づける。すると、光ピックアップ２４のピックアップケース３６の侵入部３７がターンテーブル２９の円板部３２と可動部材３０との間に侵入して、これらを互いに離して、突没部材３１をターンテーブル２９の円板部３２の孔３４内に没せさせて、当該突没部材３１がアンクランプ位置に位置付けられる。
【００８０】
また、前述したスイッチ１３が操作されると、モータ４３が正転駆動して、ラック４１上をウォーム歯車４４が走行して、図２に示すように、機器本体３内からトレー５が徐々に排出される。そして、モータ４３が予め定められた所定の回転数正転駆動すると、当該モータ４３が停止する。すると、トレー５が、図３に示すように、露出位置に位置付けられる。なお、トレー５が収容位置から露出位置に向かって移動するのにしたがって、ストッパ５８からスライド部材５０が離れる。このため、トレー５が収容位置から露出位置に向かって移動するのにしたがって、スライド部材５０がストッパ５８と徐々に干渉しなくなり、スライド部材５０がトレー本体１４に対して相対的に機器本体３に向かって移動する。そして、トレー５が露出位置に位置付けられると、スライド部材５０が保持位置に位置付けられる。
【００８１】
その後、モータ４６が正転駆動して、トレー５が一端部５ａを中心として、機器本体３から離れた側の他端部５ｂが徐々に降下する方向に回転する（即ち、トレー５が徐々に立ち下がる）。そして、モータ４６が予め定められた所定の回転数正転駆動すると、当該モータ４６が停止する。すると、トレー５が、図４に示すように、着脱位置に位置付けられる。この着脱位置では、勿論、トレー５が機器本体３に対して略直交した格好となっている。
【００８２】
なお、トレー５が露出位置から着脱位置に向かって移動するのにしたがって、連動アーム５６の他端部５６ｃがスライドシャーシ４２から徐々に離れる。すると、連動アーム５６がコイルばね５７によって一端部５６ｂ同士が近づく方向に付勢されているので、当該連動アーム５６が、一端部５６ｂ同士が近づく方向に徐々に回転する。
【００８３】
すると、連動アーム５６の一端部５６ｂが再生機構部本体２２のテーパ面２７上に乗り上げて、当該再生機構部本体２２即ち再生機構部１５を押圧する。そして、トレー５が着脱位置に位置付けられると、連動アーム５６が規制位置に位置付けられて、当該再生機構部本体２２即ち再生機構部１５がトレー本体１４に対して変位することが規制される。さらに、連動アーム５６の回転に伴って、保持ピン５１がトレー本体１４の中央に向かって徐々に移動する。そして、トレー５が着脱位置に位置付けられると、保持ピン５１が湾曲面１９から突出して、保持ピン５１が保持位置に位置付けられる。
【００８４】
こうして、連動アーム５６が規制位置に位置付けられ、保持機構７が保持位置に位置付けられて、トレー５が着脱位置に位置付けられる。そして、ＣＤ２がトレー５に着脱される。ＣＤ２をトレー５に取り付ける際には、該ＣＤ２などでスライド部材５０と一対の保持ピン５１などを一旦互いに離れる方向に押圧した後、これらの間にＣＤ２を挟む。スライド部材５０と一対の保持ピン５１との間に挟まると、ＣＤ２は、回転テーブル２３のターンテーブル２９などと同軸に位置付けられるとともに、該ターンテーブル２９の表面上に載置される。また、ＣＤ２をトレー５から取り外す際には、スライド部材５０と一対の保持ピン５１などを一旦互いに離れる方向に押圧した後、これらの間からＣＤ２を取り外す。
【００８５】
トレー５を機器本体３内に収容する際には、即ち、トレー５が着脱位置から収容位置に向かって移動する際には、先ほどと逆にモータ４３，４６が動作する。まず、モータ４６が予め定められた所定回転数逆転駆動する。すると、トレー５が露出位置に位置付けられる。このとき、トレー５が着脱位置から露出位置に向かって移動するのに連動して、連動アーム５６の他端部５６ｃがスライドシャーシ４２などによって押圧されて、コイルばね５７の付勢力に抗して一端部５６ｂ同士が離れる方向に、連動アーム５６が徐々に回転する。すると、連動アーム５６の一端部５６ｂが再生機構部本体２２のテーパ面２７上から徐々に離脱するとともに、保持ピン５１がトレー５の外側に向かって徐々に移動する。そして、トレー５が露出位置に位置付けられると、連動アーム５６が許容位置に位置付けられて、再生機構部本体２２即ち再生機構部１５がトレー本体１４に対して変位自在となるとともに、保持ピン５１が離間位置に位置付けられる。
【００８６】
モータ４６が予め定められた所定回転数逆転駆動してから当該モータ４６が停止して、トレー５が露出位置に位置付けられた後、モータ４３が、予め定められた所定回転数逆転駆動する。すると、トレー５が収容位置に位置付けられる。このとき、トレー５が露出位置から収容位置に向かって移動するのに連動して、スライド部材５０がストッパ５８に徐々に近づくとともに、当該ストッパ５８に接触する。そして、ストッパ５８からスライド部材５０がトレー５の外側に向かって押圧されて、該スライド部材５０がトレー５の外側に向かって移動する。トレー５が収容位置に位置付けられると、スライド部材５０が離間位置に位置付けられる。こうして、トレー５のトレー本体１４に対してＣＤ２が移動自在となる。
【００８７】
ＣＤプレーヤ１は、機器本体３内に収容したトレー５上のＣＤ２を再生する際には、再生機構部１５の駆動機構を駆動して、光ピックアップ２４を回転テーブル２３から離れる方向に移動させる。すると、光ピックアップ２４のピックアップケース３６の侵入部３７がターンテーブル２９の円板部３２と可動部材３０との間から抜け出て、コイルばね３５の付勢力によって、ターンテーブル２９の円板部３２に可動部材３０が密に重なって、突没部材３１が、ターンテーブル２９の表面３２ａから突出して、当該突没部材３１がクランプ位置に位置付けられる。そして、トレー５の再生機構部１５が、ＣＤ２をクランプして、スピンドルモータ２８がＣＤ２を回転しながらピックアップが当該ＣＤ２から情報を読み出す。
【００８８】
本実施例によれば、機器本体３外に排出したトレー５を、該機器本体３が取り付けられた壁面としてのインパネ４に沿う状態（着脱位置）まで回転することで、該トレー５にＣＤ２を着脱しやすくしている。こうすることで、ＣＤプレーヤ１は、ＣＤ２の着脱に集中できない状態であっても、トレー５にＣＤ２を着脱しやすくすることができ、トレー５を不意に押圧することを防止して、トレー５を移動する移動機構６などの不意な破損を防止できる。
【００８９】
トレー５のトレー本体１４にＣＤ２を保持する保持機構７を設け、トレー５が機器本体３内に収容されると保持機構７をＣＤ２から離間させる連動機構８を備えている。このため、インパネ４に沿うトレー５にＣＤ２を確実に保持できかつトレー５が機器本体３に収容されるとＣＤ２の再生動作を保持機構７が妨げることがない。
【００９０】
また、連動機構８が、トレー５が機器本体３外の着脱位置に位置付けられると、トレー本体１４に変位自在に設けられた再生機構部１５を押圧して当該再生機構部１５の変位を規制している。このため、トレー本体１４に対する変位が規制された再生機構部１５にＣＤ２を着脱できるので、該ＣＤ２をトレー５により容易に着脱できる。したがって、トレー５を不意に押圧することを確実に防止して、トレー５を移動する移動機構６などの不意な破損を確実に防止できる。
【００９１】
さらに、連動機構８が、連動アーム５６とコイルばね５７とを備えても良い。この場合、簡便な構成で保持機構７を移動させることができかつ再生機構部１５の変位を規制できる。したがって、連動機構８や保持機構７などの小型化を図ることができ、ＣＤプレーヤ１自体の小型化を図ることができる。
【００９２】
前述した実施例では、記録媒体として、ディスク形記録媒体としてのＣＤ２を示している。しかしながら、本発明では、例えば、記録媒体としてのＭＤ（Mini Disc）、ＤＶＤ（Digital VersatileDisc）などの他の記録媒体を用いても良い。また、本発明では、ディスク形に限らず種々の形状の記録媒体を用いても良い。
【００９３】
また、前述した実施例では、記録媒体から情報を読み出す（情報を再生する）ＣＤプレーヤ１を示している。しかしながら、本発明では、記録媒体から情報を読み出す情報処理装置に限ることなく、例えば、情報を記録媒体に記録する記録装置や、情報の再生及び記録を行う情報記録再生装置としても適用可能しても良い。
【００９４】
さらに、前述した実施例では、露出位置と着脱位置との間で、トレー５を機器本体３に対して略９０度回転している。しかしながら、本発明では、９０度に限らず種々の角度、トレー５を機器本体３に対して回転しても良い。
【００９５】
なお、前述した実施例は本発明の代表的な形態を示したに過ぎず、本発明は、実施例に限定されるものではない。即ち、本発明の骨子を逸脱しない範囲で種々変形して実施することができる。
【００９６】
前述した実施例によれば、以下のＣＤプレーヤ１が得られる。
【００９７】
（付記）  機器本体３と、
ＣＤ２を保持可能でかつ前記機器本体３に出し入れ自在に設けられたトレー５と、
を備えたＣＤプレーヤ１において、
前記機器本体３から前記トレー５を排出した後に、当該トレー５の一端部５ａを中心として回動して、当該トレー５を前記機器本体３が取り付けられたインパネ４に沿わせた状態にする移動機構６と、
を備えたことを特徴とするＣＤプレーヤ１。
【００９８】
付記に記載のＣＤプレーヤ１は、機器本体３外に排出したトレー５を、該機器本体３が取り付けられたインパネ４に沿う状態まで回転することで、該トレー５にＣＤ２を着脱しやすくしている。こうすることで、ＣＤプレーヤ１は、ＣＤ２の着脱に集中できない状態であっても、トレー５にＣＤ２を着脱しやすくすることができ、トレー５を不意に押圧することを防止して、トレー５を移動する移動機構６などの不意な破損を防止できる。
【符号の説明】
【００９９】
１  ＣＤプレーヤ（情報処理装置）
２  ＣＤ（記録媒体）
３  機器本体
４  インパネ（壁面）
５  トレー
５ａ  一端部
６  移動機構
７  保持機構
８  連動機構
１４  トレー本体
１５  再生機構部
５６  連動アーム
５６ａ  中央部
５６ｂ  一端部
５７  コイルばね（付勢手段）
【手続補正２】
【補正対象書類名】特許請求の範囲
【補正対象項目名】全文
【補正方法】変更
【補正の内容】
【特許請求の範囲】
【請求項１】
機器本体と、
トレー本体と、該トレー本体に記録媒体を保持する保持位置と前記トレー本体上の記録媒体から離間した離間位置とに亘って移動自在に設けられた保持機構と、を備えて、前記機器本体に出し入れ自在に設けられたトレーと、
を備えた情報処理装置において、
前記機器本体から前記トレーを排出した後に、当該トレーの一端部を中心として回動して、当該トレーを前記機器本体が取り付けられた壁面に沿わせた状態にする移動機構と、
前記トレーが前記機器本体外に排出されて前記壁面に沿う状態になると前記保持機構を保持位置に位置付け、かつ前記トレーが前記機器本体内に収容されると前記保持機構を離間位置に位置付ける連動機構と、
を備えたことを特徴とする情報処理装置。
【請求項２】
前記トレーが、前記トレー本体に変位自在に設けられかつ前記記録媒体を装着して当該記録媒体に記録された情報を読み出す再生機構部を備え、
前記連動機構が、前記トレーが前記機器本体外に排出されて前記壁面に沿う状態になると前記再生機構部が前記トレー本体に対して変位することを規制し、かつ前記トレーが前記機器本体内に収容されると前記再生機構部が前記トレー本体に対して変位することを許容することを特徴とする請求項１記載の情報処理装置。
【請求項３】
前記連動機構が、前記機器本体外に排出された前記トレーの機器本体寄りの一端部に中央部を回転自在に設けられた連動アームと、前記連動アームの前記機器本体から離れた側の一端部が前記再生機構部に近づく方向に付勢する付勢手段と、を備え、
前記連動アームの中央部と前記一端部との間に前記保持機構の一部を設け、
かつ前記トレーが前記壁面に沿う状態になると前記連動アームの前記一端部が前記再生機構部を押圧して当該再生機構部のトレー本体に対する変位を規制するとともに、
前記トレーが前記機器本体内に収容されると前記付勢手段の付勢力に抗して前記連動アームの前記一端部が前記再生機構部から離間して、前記再生機構部のトレー本体に対する変位を許容しかつ前記保持機構の一部を前記記録媒体から離間させることを特徴とする請求項２記載の情報処理装置。
【国際調査報告】
2008062510.tif 000019
2008062510.tif 000020
2008062510.tif 000021
2008062510.tif 000022